【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計。
【請求項２】
更に、前記載置台に被さるように下方が開放された逆Ｕ状の電極カバーを備える一体型アタッチメントを備え、前記足用アタッチメントの左足用と右足用が前記電極カバーに配設され、前記電極カバーの裏面底部には、裏面電極が配設され、前記足用電極と前記裏面電極は電気的に接続され、前記裏面電極は前記電極カバーを前記載置台に被せたとき、前記足裏用電極と接触する請求項１に記載の体内脂肪重量計。
【請求項３】
前記足用アタッチメントは、前記足裏用電極と接触できる裏面電極を備え、前記足用電極は前記裏面電極と電気的に接続されている請求項１に記載の体内脂肪重量計。
【請求項４】
前記足用アタッチメントは、左足用と右足用が互いに独立している請求項１に記載の体内脂肪重量計。
【請求項５】
前記足用アタッチメントは、左足用と右足用が１個の部材に配設されている請求項１に記載の体内脂肪重量計。
【請求項６】
更に、前記足裏用電極と前記足用電極を切り換える切換手段を備える請求項１に記載の体内脂肪重量計。
【請求項７】
前記切換手段は、設定釦からなる請求項６に記載の体内脂肪重量計。
【請求項８】
前記載置台は勘合部を備え、前記切換手段は、前記勘合部に前記足用アタッチメントが装着されると自動的に足用電極でのインピーダンス測定へ切り換える請求項６に記載の体内脂肪重量計。
【請求項９】
前記切換手段は、前記足裏用電極が導通されたか、前記足用電極が導通されたかを電気的に判断し、電極を切り換える請求項６に記載の体内脂肪重量計。
【請求項１０】
前記足用アタッチメントの上部は高さを調節できる請求項１乃至請求項９に記載の体内脂肪重量計。
【請求項１１】
靴下の無い足上部に接触する足用電極を上部のＵ字形状の両内側に備えた足用アタッチメントと、裏面底部に裏面電極が配設された下方が開放された逆Ｕ状の電極カバーとを備えた一体型アタッチメントと、載置台上に被測定者が乗ることで体重を測定する重量測定装置と、前記載置台上に設けた足裏用電極と、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用電極と裏面電極は電気的に接続され、前記一体型アタッチメントは、前記載置台に被さり、前記裏面電極は前記足裏用電極と接触することを特徴とする体内脂肪重量計。
【請求項１２】
載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用アタッチメントは、前記足裏用電極と接触できる裏面電極を備え、前記足用電極は前記裏面電極と電気的に接続されていることを特徴とする体内脂肪重量計。
【請求項１３】
前記足用アタッチメントの上部は高さを調節できる請求項１１または請求項１２に記載の体内脂肪重量計。
【請求項１４】
載置台上に被測定者が乗ることで体重を測定する重量測定装置と、前記載置台上に設けられ、靴下の無い足上部に接触する足用電極と、前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計。
【請求項１５】
載置台上に被測定者が乗ることで体重を測定する重量測定装置と、靴下の無い足上部に接触する足用電極を上部のＵ字形状の両内側に備え前記載置台上に配設された足用アタッチメントと、前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計。
【請求項１６】
前記足用アタッチメントは、左足用と右足用が１個の部材に配設されている請求項１５に記載の体内脂肪重量計。
【請求項１７】
前記足用アタッチメントの上部は高さを調節できる請求項１６に記載の体内脂肪重量計。
【手続補正２】
【補正対象書類名】明細書
【補正対象項目名】０００６
【補正方法】変更
【補正の内容】
【０００６】
【課題を解決するための手段】
本発明の一つの観点によれば、載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計が提供される。
本発明の一つの実施の形態によれば、更に、前記載置台に被さるように下方が開放された逆Ｕ状の電極カバーを備える一体型アタッチメントを備え、前記足用アタッチメントの左足用と右足用が前記電極カバーに配設され、前記電極カバーの裏面底部には、裏面電極が配設され、前記足用電極と前記裏面電極は電気的に接続され、前記裏面電極は前記電極カバーを前記載置台に被せたとき、前記足裏用電極と接触する。
本発明の別の実施の形態によれば、前記足裏用電極と接触できる裏面電極を備え、前記足用電極は前記裏面電極と電気的に接続されている。
本発明のさらに別の実施の形態によれば、前記足用アタッチメントは、左足用と右足用が互いに独立している。
本発明のさらに別の実施の形態によれば、前記足用アタッチメントは、左足用と右足用が１個の部材に配設されている。
本発明のさらに別の実施の形態によれば、更に、前記足裏用電極と前記足用電極を切り換える切換手段を備える。
本発明のさらに別の実施の形態によれば、前記切換手段は、設定釦からなる。
本発明のさらに別の実施の形態によれば、前記載置台は勘合部を備え、前記切換手段は、前記勘合部に前記足用アタッチメントが装着されると自動的に足用電極でのインピーダンス測定へ切り換える。
本発明のさらに別の実施の形態によれば、前記切換手段は、前記足裏用電極が導通されたか、前記足用電極が導通されたかを電気的に判断し、電極を切り換える。
本発明のさらに別の実施の形態によれば、前記足用アタッチメントの上部は高さを調節できる。
本発明の別の観点によれば、靴下の無い足上部に接触する足用電極を上部のＵ字形状の両内側に備えた足用アタッチメントと、裏面底部に裏面電極が配設された下方が開放された逆Ｕ状の電極カバーとを備えた一体型アタッチメントと、載置台上に被測定者が乗ることで体重を測定する重量測定装置と、前記載置台上に設けた足裏用電極と、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用電極と裏面電極は電気的に接続され、前記一体型アタッチメントは、前記載置台に被さり、前記裏面電極は前記足裏用電極と接触することを特徴とする体内脂肪重量計が提供される。
本発明のさらに別の観点によれば、載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用アタッチメントは、前記足裏用電極と接触できる裏面電極を備え、前記足用電極は前記裏面電極と電気的に接続されていることを特徴とする体内脂肪重量計が提供される。
本発明の一つの実施の形態によれば、前記足用アタッチメントの上部は高さを調節できる。
本発明のさらに別の観点によれば、載置台上に被測定者が乗ることで体重を測定する重量測定装置と、前記載置台上に設けられ、靴下の無い足上部に接触する足用電極と、前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計が提供される。
本発明のさらに別の観点によれば、載置台上に被測定者が乗ることで体重を測定する重量測定装置と、靴下の無い足上部に接触する足用電極を上部のＵ字形状の両内側に備え前記載置台上に配設された足用アタッチメントと、前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計が提供される。
本発明の一つの実施の形態によれば、前記足用アタッチメントは、左足用と右足用が１個の部材に配設されている。
本発明の別の実施の形態によれば、前記足用アタッチメントの上部は高さを調節できる。
【手続補正３】
【補正対象書類名】明細書
【補正対象項目名】０００７
【補正方法】削除
【補正の内容】
【手続補正４】
【補正対象書類名】明細書
【補正対象項目名】００２２
【補正方法】変更
【補正の内容】
【００２２】
【効果】
請求項１に記載の発明によれば、載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備えるので、非導電部材である靴、靴下などを履いたままで被測定者のインピーダンスが測定でき、体内脂肪量が算出できる。家庭では靴下を脱ぐことは問題ないが、展示会など公衆の前で靴下を脱ぐことにためらいを感じていた利用者が、何のためらいもなく簡単に体重と体内脂肪量を測定することができると云う大変優れた効果がある。
請求項２に記載の発明によれば、更に、前記載置台に被さるように下方が開放された逆Ｕ状の電極カバーを備える一体型アタッチメントを備え、前記足用アタッチメントの左足用と右足用が前記電極カバーに配設され、前記電極カバーの裏面底部には、裏面電極が配設され、前記足用電極と前記裏面電極は電気的に接続され、前記裏面電極は前記電極カバーを前記載置台に被せたとき、前記足裏用電極と接触するので、靴、靴下などを履いたままで被測定者のインピーダンスが測定できる。
請求項３に記載の発明によれば、前記足裏用電極と接触できる裏面電極を備え、前記足用電極は前記裏面電極と電気的に接続されているので、靴、靴下などを履いたままで被測定者のインピーダンスが測定できる。
請求項４に記載の発明によれば、前記足用アタッチメントは、左足用と右足用が互いに独立しているので、靴、靴下などを履いたままで被測定者のインピーダンスが測定できる。
請求項５に記載の発明によれば、前記足用アタッチメントは、左足用と右足用が１個の部材に配設されているので、靴、靴下などを履いたままで被測定者のインピーダンスが測定できる。
請求項６に記載の発明によれば、更に、前記足裏用電極と前記足用電極を切り換える切換手段を備えるので、電極を切り換えることが出来る。
請求項７に記載の発明によれば、前記切換手段は、設定釦からなるので、簡単に電極を切り換えることが出来る。
請求項８に記載の発明によれば、前記載置台は勘合部を備え、前記切換手段は、前記勘合部に前記足用アタッチメントが装着されると自動的に足用電極でのインピーダンス測定へ切り換えるので、自動的に電極を切り換えることができる。
請求項９に記載の発明によれば、前記切換手段は、前記足裏用電極が導通されたか、前記足用電極が導通されたかを電気的に判断し、電極を切り換えるので、自動的に電極を切り換えることができる。
請求項１０に記載の発明によれば、前記足用アタッチメントの上部は高さを調節できるので、足用電極を靴下のない足上部へ位置するようにでき、足用電極を足上部に接触させることができる。
請求項１１に記載の発明によれば、靴下の無い足上部に接触する足用電極を上部のＵ字形状の両内側に備えた足用アタッチメントと、裏面底部に裏面電極が配設された下方が開放された逆Ｕ状の電極カバーとを備えた一体型アタッチメントと、載置台上に被測定者が乗ることで体重を測定する重量測定装置と、前記載置台上に設けた足裏用電極と、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用電極と裏面電極は電気的に接続され、前記一体型アタッチメントは、前記載置台に被さり、前記裏面電極は前記足裏用電極と接触するので、非導電部材である靴、靴下などを履いたままで被測定者のインピーダンスが測定でき、体内脂肪量が算出できる。家庭では靴下を脱ぐことは問題ないが、展示会など公衆の前で靴下を脱ぐことにためらいを感じていた利用者が、何のためらいもなく簡単に体重と体内脂肪量を測定することができると云う大変優れた効果がある。
請求項１２に記載の発明によれば、載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用アタッチメントは、前記足裏用電極と接触できる裏面電極を備え、前記足用電極は前記裏面電極と電気的に接続されているので、非導電部材である靴、靴下などを履いたままで被測定者のインピーダンスが測定でき、体内脂肪量が算出できる。家庭では靴下を脱ぐことは問題ないが、展示会など公衆の前で靴下を脱ぐことにためらいを感じていた利用者が、何のためらいもなく簡単に体重と体内脂肪量を測定することができると云う大変優れた効果がある。
請求項１３に記載の発明によれば、前記足用アタッチメントの上部は高さを調節できるので、足用電極を靴下のない足上部へ位置するようにでき、足用電極を足上部に接触させることができる。
請求項１４に記載の発明によれば、載置台上に被測定者が乗ることで体重を測定する重量測定装置と、前記載置台上に設けられ、靴下の無い足上部に接触する足用電極と、前記足用電極を通じて、被測定者の生体インピーダンスを測定するインピーダンス測定装置と、前記体重と前記生体インピーダンスを演算処理して被測定者の体内脂肪重量を算出する演算処理装置とを備えるので、非導電部材である靴、靴下などを履いたままで被測定者のインピーダンスが測定でき、体内脂肪量が算出できる。家庭では靴下を脱ぐことは問題ないが、展示会など公衆の前で靴下を脱ぐことにためらいを感じていた利用者が、何のためらいもなく簡単に体重と体内脂肪量を測定することができると云う大変優れた効果がある。
請求項１５に記載の発明によれば、載置台上に被測定者が乗ることで体重を測定する重量測定装置と、靴下の無い足上部に接触する足用電極を上部のＵ字形状の両内側に備え前記載置台上に配設された足用アタッチメントと、前記足用電極を通じて、被測定者の生体インピーダンスを測定するインピーダンス測定装置と、前記体重と前記生体インピーダンスを演算処理して被測定者の体内脂肪重量を算出する演算処理装置とを備えるので、非導電部材である靴、靴下などを履いたままで被測定者のインピーダンスが測定でき、体内脂肪量が算出できる。家庭では靴下を脱ぐことは問題ないが、展示会など公衆の前で靴下を脱ぐことにためらいを感じていた利用者が、何のためらいもなく簡単に体重と体内脂肪量を測定することができると云う大変優れた効果がある。
請求項１６に記載の発明によれば、前記足用アタッチメントは、左足用と右足用が１個の部材に配設されているので、靴、靴下などを履いたままで被測定者のインピーダンスが測定できる。
請求項１７に記載の発明によれば、前記足用アタッチメントの上部は高さを調節できるので、足用電極を靴下のない足上部へ位置するようにでき、足用電極を足上部に接触させることができる。
【手続補正５】
【補正対象書類名】明細書
【補正対象項目名】００２３
【補正方法】削除
【補正の内容】